(57)【特許請求の範囲】
【請求項１】
折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部は、三角形または台形状に形成されているとともに、前記第２天面部および第４天面部は、天壁を構成した際に第１天面部を露出させるための切除用断続切れ目をそれぞれ有し、かつ第１天面部および第３天面部の高さ寸法は、天壁を構成した際に両天面部の先端部がオーバラップする長さに設定されていることを特徴とする内袋を有する箱。
【請求項２】
折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部は、三角形または台形状に形成されているとともに、前記第２天面部および第４天面部は、天壁を構成した際に第１天面部を露出させるための切除用断続切れ目をそれぞれ有し、かつ前記第１天面部の少なくともいずれか一方の斜辺部には、第２天面部または第４天面部の残存部分に先端部がオーバラップする長さの係止部が設けられていることを特徴とする内袋を有する箱。
【請求項３】
折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部は、三角形または台形状に形成されているとともに、前記第２天面部および第４天面部は、天壁を構成した際に第１天面部を露出させるための切除用断続切れ目をそれぞれ有し、かつ第２天面部または第４天面部のうちの少なくともいずれか一方は、その切除用断続切れ目部分に、第１天面部に先端がオーバラップする長さの係合用突部を有していることを特徴とする内袋を有する箱。
【請求項４】
第３天面部は、第１天面部のオーバラップ部分を挾んでその両側位置に、一対の切込みを有していることを特徴とする請求項１記載の内袋を有する箱。
【請求項５】
第２天面部または第４天面部の残存部分は、係止部を挾んでその両側位置に、一対の切込みを有していることを特徴とする請求項２記載の内袋を有する箱。
【請求項６】
第１天面部は、係合用突部を挾んでその両側位置に、一対の切込みを有していることを特徴とする請求項３記載の内袋を有する箱。
【請求項７】
第３側面部は、切り起こし構造の把手を形成するための把手用切込みを有していることを特徴とする請求項１，２，３，４，５または６記載の内袋を有する箱。
【請求項８】
切起こし構造の把手は、開口端を突合わせた状態で２個設けられていることを特徴とする請求項７記載の内袋を有する箱。
【請求項９】
内袋は、天部フラップのうちの少なくとも第１天面部内面の先端近傍位置に固定されていることを特徴とする請求項１，２，３，４，５，６，７または８記載の内袋を有する箱。
【請求項１０】
内袋は、収容物の収容後に、第１天面部の中心と第３天面部の中心とを結ぶ方向にシールされることを特徴とする請求項１，２，３，４，５，６，７，８または９記載の内袋を有する箱。
【発明の詳細な説明】
【０００１】
【発明の属する技術分野】
本発明は、外箱内に内袋を固定した構造の内袋を有する箱に係り、特に開封後は米櫃等の収容容器として使用することができる内袋を有する箱に関する。
【０００２】
【従来の技術】
従来から、精米を２〜５ｋｇ程度の少量に分けて販売することは汎く行なわれているが、これらの精米は、ほとんどプラスチック製の収容袋に収容されているのが通例である。
【０００３】
【発明が解決しようとする課題】
ところで、精米をプラスチック製の収容袋に収容した場合、収容袋内にわずかでも気体が残っている場合には、収容袋を段積みした際に荷崩れが発生し易くなるため、この種の収容袋には、精米収容後に小さな孔を穿け、段積みした際に、内部の気体がこの小孔を通して外部に逃げるようにするのが通例である。
【０００４】
このため、収容袋内の精米は、常時空気に晒されることになり、短時間で鮮度が低下するという問題がある。
【０００５】
また、開封後の精米は、米櫃に収容されるのが通例であるが、最近では米櫃を有していない人が多くなってきており、この場合には、収容袋に収容したままで保管せざるを得ず、計量カップを用いた計量作業等が容易でないという問題がある。
【０００６】
本発明は、かかる現況に鑑みなされたもので、収容されている精米等の鮮度を長時間に亘っ保つことができ、また開封後は米櫃等の収容容器として使用することができる内袋を有する箱を提供することを目的とする。
【０００７】
本発明の他の目的は、第１天面部を開閉蓋として使用する際に、その開閉が容易で、かつ閉状態で安定させることができる内袋を有する箱を提供するにある。
【０００８】
本発明の他の目的は、開封後に米櫃等の収容容器として使用する際に、その取扱いを容易なものとすることができるとともに、内部の精米等の残量を容易に確認することができる内袋を有する箱を提供するにある。
【０００９】
本発明の他の目的は、開封後に米櫃等の収容容器として使用する際の取扱いを、より容易なものとすることができる内袋を有する箱を提供するにある。
【００１０】
本発明の他の目的は、第１天面部を開閉蓋として使用する際に、第１天面部を外側に開けば、内袋も同時に外部に引出すことができる内袋を有する箱を提供するにある。
【００１１】
本発明のさらに他の目的は、内袋の開封が容易で、しかも開閉蓋としての第１天面部を閉じた際に、内袋の開封部を確実に閉じることができる内袋を有する箱を提供するにある。
【００１２】
【課題を解決するための手段】
前記目的を達成するため本発明は、折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部を、三角形または台形状に形成するとともに、前記第２天面部および第４天面部に、天壁を構成した際に第１天面部を露出させるための切除用断続切れ目をそれぞれ設け、かつ第１天面部および第３天面部の高さ寸法を、天壁を構成した際に両天面部の先端部がオーバラップする長さに設定するようにしたことを特徴とする。そして、第２天面部および第４天面部を、切除用断続切れ目から切除すれば第１天面部が露出するので、この第１天面部を外側に開けば、内袋を引出して開封することが可能となる。また、内袋の開封後、第１天面部の先端が、第３天面部に係止されるので、開閉蓋としての第１天面部を、閉状態で安定に保持することが可能となる。
【００１３】
本発明はまた、折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部を、三角形または台形状に形成するとともに、前記第２天面部および第４天面部に、天壁を構成した際に第１天面部を露出させるための切除用断続切れ目をそれぞれ設け、かつ前記第１天面部の少なくともいずれか一方の斜辺部に、第２天面部または第４天面部の残存部分に先端部がオーバラップする長さの係止部を設けるようにしたことを特徴とする。そしてこれにより、第１天面部を開閉蓋として使用することが可能となり、しかも係止部の係合により、第１天面部を閉状態で安定に保持することが可能となる。
【００１４】
本発明はまた、折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部を、三角形または台形状に形成するとともに、前記第２天面部および第４天面部に、天壁を構成した際に第１天面部を露出させるための切除用断続切れ目をそれぞれ設け、かつ第２天面部または第４天面部のうちの少なくともいずれか一方の切除用断続切れ目部分に、第１天面部に先端がオーバラップする長さの係合用突部を設けるようにしたことを特徴とする。そしてこれにより、第１天面部を開閉蓋として使用することが可能となり、しかも係合用突部の係合により、第１天面部を、閉状態で安定に保持することが可能となる。
【００１５】
本発明はまた、第３天面部における第１天面部のオーバラップ部分を挾んだ両側位置に、一対の切込みを設けるようにしたことを特徴とする。そしてこれにより、第１天面部の第３天面部への係脱が容易となり、第１天面部を開閉蓋として使用する際に、その開閉を容易なものとすることが可能となるとともに、閉状態で安定させることが可能となる。
【００１６】
本発明はまた、第２天面部または第４天面部の残存部分における係止部を挾んだ両側位置に、一対の切込みを設けるようにしたことを特徴とする。そしてこれにより、第１天面部の係止部を第２天面部または第４天面部に係脱する作業が容易となり、また第１天面部を閉状態で安定させることが可能となる。
【００１７】
本発明はまた、第１天面部の係合用突部を挾んだ両側位置に、一対の切込みを設けるようにしたことを特徴とする。そしてこれにより、第１天面部の係合用突部との係脱が容易となり、また第１天部を閉状態で安定させることが可能となる。
【００１８】
本発明はまた、第３側面部に、切り起こし構造の把手を形成するための把手用切込みを設けるようにしたことを特徴とする。そしてこれにより、内袋開封後に米櫃等の収容容器として使用する際に、その取扱いを容易なものとすることが可能となり、また切起こされた把手部分を介して、内部の精米等の残量を容易に確認することが可能となる。
【００１９】
本発明はまた、切り起こし構造の把手を、開口端を突合わせた状態で２個設けるようにしたことを特徴とする。そしてこれにより、外箱の保持が安定し、米櫃等の収容容器として使用する際の取扱いを、より容易なものとすることが可能となる。
【００２０】
本発明はまた、内袋を、天部フラップのうちの少なくとも第１天面部内面の先端近傍位置に固定するようにしたことを特徴とする。そしてこれにより、第１天面部を外側に開けば、内袋も同時に外部に引出すことが可能となる。
【００２１】
本発明はさらに、内袋を、収容物の収容後に、第１天面部の中心と第３天面部の中心とを結ぶ方向にシールするようにしたことを特徴とする。そしてこれにより、内袋の開封が容易となり、しかも開閉蓋としての第１天面部を閉じた際に、内袋の開封部を確実に閉じることが可能となる。
【００２２】
【発明の実施の形態】
以下、本発明を図面を参照して説明する。
図１は、本発明の第１の実施の形態に係る内袋を有する箱を示すもので、この箱１は、方形容器状に組立てられる段ボール製の外箱２と、この箱２内に接着固定された透明または半透明の内袋３とから構成されており、精米その他の収容物は、前記内袋３内に収容されるようになっている。
【００２３】
前記外箱２は、図２に示すように、折線４，５，６を介し順次連結された第１側面部７，第２側面部８，第３側面部９および第４側面部１０と、第４側面部１０に折線１１を介し連結された糊代１２と、前記各側面部７，８，９，１０の下端部に折線１３，１４，１５，１６を介しそれぞれ連結された底部フラップ１７，１８，１９，２０と、前記各側面部７，８，９，１０の上端部に折線２１，２２，２３，２４を介しそれぞれ連結された第１天面部２５，第２天面部２６，第３天面部２７および第４天面部２８とで構成されており、前記各側面部７，８，９，１０により、方形状をなす外箱２の周壁２９が構成されるとともに、前記各底部フラップ１７，１８，１９，２０により、外箱２の底壁３０が構成され、また前記各天面部２５，２６，２７，２８により、外箱２の天壁３１が構成されるようになっている。
【００２４】
前記第３側面部９には、図１および図２に示すように、切り起こし構造の２個の把手３２ａ，３２ｂを形成するための把手用切込み３３ａ，３３ｂが設けられており、これら両把手３２ａ，３２ｂは、開口端を突合わせた状態で配されている。そして、これら両把手３２ａ，３２ｂを切り起こすことにより、切り起こされた開口部を通して、内袋３内の収容物の残量を容易に確認することができるようになっている。
【００２５】
また、前記第１天面部２５は、図２および図３に示すように、上端部に短寸法の上底部を有する三角形近似の台形状をなしており、また前記第２天面部２６および第４天面部２８の第１天面部２５に対応する部位には、図２ないし図４に示すように、天壁３１を構成した際に第１天面部２５を露出させるための切除用断続切れ目３４，３５がそれぞれ設けられている。そして、開封時にこれら各切除用断続切れ目３４，３５から各天面部２６，２８の切除部２６ａ，２８ａを切除することにより、図５に示すように第１天面部２５を露出させることができるようになっている。
【００２６】
また、第１天面部２５および第３天面部２７の高さ寸法は、図６に示すように、両天面部２５，２７を内側に折曲げた際に、先端部が相互にオーバラップする長さとなるよう寸法設定されており、これにより、第１天面部２５を開閉蓋として使用する際に、その先端部を第３天面部２７に係止して、閉状態で固定できるようになっている。なお、これについては後に詳述する。
【００２７】
前記第３天面部２７先端縁の第１天面部２５を挾んだ両側位置には、図２および図６に示すように、一対の切込み３６がそれぞれ設けられており、これら両切込み３６により、第１天面部２５先端の第３天面部２７への係脱を、容易に行なうことができるようになっている。なお、これについても後に詳述する。
【００２８】
一方、前記内袋３は、図２ないし図４に示すように、例えばＰＥＴまたはＰＥ等の透明または半透明の８０〜９０μｍ厚のプラスチックフィルムを二枚重ねにし、その両側縁および下縁を熱溶着して、下端が二等辺三角形状をなす平封筒状に形成されており、その横幅は、隣位する二つの側面部７，１０または８，９を合計した値とほぼ同一に設定され、また下端の二等辺三角形状の底角は、ともに４５度に設定されている。
【００２９】
このように構成された内袋３は、各側面部７，８，９，１０に対しては、図２に符号Ｐで示すように、各折線４，５，６の上下端部および両把手３２ａ，３２ｂの中間２箇所の合計８箇所で糊付けされるようになっており、また各天面部２５，２６，２７，２８に対しては、第１天面部２５および第３天面部２７の中央上端近傍位置の２箇所で糊付けされるようになっている。
【００３０】
次に、本実施の形態の作用について説明する。
箱１の製造に際しては、まず予め定められた形状にカットされた外箱２を用意し、図２に示すように、その各側面部７，８，９，１０の８箇所の糊付け部Ｐに接着剤を塗布するとともに、両天面部２５，２７の２箇所の糊付け部Ｐに接着剤を塗布する。そしてその後、外箱２上に内袋３を載置した状態で、糊代１２を第１側面部７に貼着固定する。
【００３１】
次いで、周壁２９を方形に開くとともに、内袋３の下端部を折りたたみ、各底部フラップ１７，１８，１９，２０を内側に折曲げて固定する。これにより、底壁３０が構成される。なお、この作業方法は、例えば特開平９−２７８０３１公報に示されている手順と基本的に同一である。
【００３２】
次いで、内袋３内に精米等の収容物を所定量収容した後、図７に示すように、第１天面部２５および第３天面部２７を外側に折曲げるとともに、第２天面部２６および第４天面部２８を内側に折曲げる。すると、内袋３の上端部が、第２天面部２６および第４天面部２８により両側から押さえられて二枚合わせ状となるので、この二枚合わせ状となった内袋３の開口端をシールするとともに、内袋３上端の不要部分をカットする。
【００３３】
内袋３のシール後、まず第１天面部２５および第３天面部２７を先に内側に折曲げた後、第２天面部２６および第４天面部２８を内側に折曲げ、所定の手段で固定する。これにより、天壁３１が構成されて箱１が完成する。
【００３４】
開封に際しては、まず図５に示すように、第２天面部２６の切除部２６ａおよび第４天面部２８の切除部２８ａを、各切除用断続切れ目３４，３５から切除する。すると、第１天面部２５が露出するので、この第１天面部２５を外側に引出す。すると、図１に示すように、内袋３も第１天面部２５とともに外側に引出されるので、内袋３の端部をカットして開封する。
【００３５】
内袋３を開封したならば、両把手３２ａ，３２ｂを切り起こし、これら両把手３２ａ，３２ｂを把持して、箱１を第１天面部２５側に傾ける。すると、内袋３の開封部から内容物が排出される。
【００３６】
内容物を所定量排出したならば、外側に折曲げていた第１天面部２５を内側に折曲げる。すると、内袋３は、第１天面部２５の下端位置で折曲げられた状態で、内側に折返されることになるので、内袋３の開封部は、完全に閉じた状態となる。
【００３７】
内側に折曲げた第１天面部２５は、図６に示すように、その先端部が第３天面部２７にオーバラップしているので、第３天面部２７に接触した後に、第１天面部２５の先端部を強く内側に押圧すれば、第１天面部２５の先端部が第３天面部２７の下側に入って、閉じた状態で係止固定される。
【００３８】
逆に、第３天面部２７の第１天面部２５近傍位置を強く内側に押圧すれば、第３天面部２７が第１天面部２５の先端部の下側に入って、第１天面部２５を外側に開くことが可能となる。
【００３９】
ところでこの際、第１天面部２５と第３天面部２７とを単にオーバラップさせただけでは、各天面部２５，２７をかなり強く押圧しなければ、第１天面部２５を係脱することができないが、第３天面部２７の第１天面部２５を挾んだ両側位置には、一対の切込み３６が設けられているので、各天面部２５，２７をそれほど強く押圧しなくても、第１天面部２５を係脱することができ、しかも押圧しない状態では、第１天面部２５を安定に閉じ状態で保持できることが、本発明者等の実験により確認されている。
【００４０】
しかして、第１天面部２５を開閉蓋として使用することができるので、箱１を米櫃等の収容容器として使用することができる。また、精米等の内容物は、把手３２ａ，３２ｂの切り起こし部分を通して残量が確認できるので、使い勝手のよい収容容器が得られる。
【００４１】
図８は、本発明の第２の実施の形態を示すもので、第１天面部２５を第３天面部２７に係止するのではなく、第２天面部２６および第４天面部２８に係止するようにしたものである。
【００４２】
すなわち、第１天面部２５の両斜辺部には、図８に示すように、第２天面部２６あるいは第４天面部２８の残存部分（切除部２６ａ，２８ａを切除した後に残った部分）に先端部がオーバラップする長さの係止部４１，４２がそれぞれ設けられており、また第２天面部２６および第４天面部２８の各係止部４１，４２を挾んだ両側位置には、一対の切込み４３，４４がそれぞれ設けられている。
なお、その他の点については、前記第１の実施の形態と同一構成となっており、作用も同一である。
【００４３】
しかして、第１天面部２５を第２天面部２６および第４天面部２８に係止するようにしても、前記第１の実施の形態と同様の効果を得ることができる。
【００４４】
図９は、本発明の第３の実施の形態を示すもので、前記第２の実施の形態の場合とは逆に、第２天面部２６および第４天面部２８に、係合用突部５１，５２をそれぞれ設けるようにしたものである。
【００４５】
すなわち、第２天面部２６および第４天面部２８の切除用断続切れ目３４，３５部分には、第１天面部２５に先端がオーバラップする長さの係合用突部５１，５２がそれぞれ設けられており、また第１天面部２５両斜辺部の各係合用突部５１，５２を挾んだ両側位置には、一対の切込み５３，５４がそれぞれ設けられている。
なお、その他の点については、前記第１の実施の形態と同一構成となっており、作用も同一である。
【００４６】
しかして、本実施の形態の場合にも、前記第１の実施の形態と同様の効果を得ることができる。
【００４７】
なお、前記第２および第３の実施の形態においては、係止部４１，４２あるいは係合用突部５１，５２を２個設ける場合について説明したが、いずれか一方のみを設ければ、所期の効果を得ることができる。
【００４８】
また、前記各実施の形態においては、箱１を米櫃として使用する場合について説明したが、精米以外の穀物の収容箱としても使用することができ、またドッグフードやキャットフードの収容箱等としても使用することができる。
【００４９】
【発明の効果】
以上説明したように本発明は、折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部を、三角形または台形状に形成するとともに、前記第２天面部および第４天面部に、天壁を構成した際に第１天面部を露出させるための切除用断続切れ目をそれぞれ設け、かつ第１天面部および第３天面部の高さ寸法を、天壁を構成した際に両天面部の先端部がオーバラップする長さに設定するようにしているので、第２天面部および第４天面部を切除用断続切れ目から切除することで、第１天面部が露出することになり、この第１天面部を外側に開けば、内袋を引出して開封することができる。また、内袋の開封後、第１天面部の先端が、第３天面部に係止されるので、開閉蓋としての第１天面部を、閉状態で安定に保持することができる。
【００５０】
本発明はまた、折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部を、三角形または台形状に形成するとともに、前記第２天面部および第４天面部に、天壁を構成した際に第１天面部を露出させるための切除用断続切れ目をそれぞれ設け、かつ前記第１天面部の少なくともいずれか一方の斜辺部に、第２天面部または第４天面部の残存部分に先端部がオーバラップする長さの係止部を設けるようにしているので、第１天面部を開閉蓋として使用することができ、しかも係止部の係合により、第１天面部を閉状態で安定に保持することができる。
【００５１】
本発明はまた、折線を介し順次連結した第１側面部，第２側面部，第３側面部および第４側面部で構成される方形の周壁と、前記各側面部の下端部に折線を介しそれぞれ連結され内側に折曲げられて底壁を構成する底部フラップと、前記各側面部の上端部に折線を介しそれぞれ連結した第１天面部，第２天面部，第３天面部および第４天面部からなり内側に折曲げられて天壁を構成する天部フラップとを備えた外箱と；透明または半透明のプラスチック材で形成され前記外箱内に取付けられる内袋と；を具備する内袋を有する箱において、前記第１天面部を、三角形または台形状に形成するとともに、前記第２天面部および第４天面部に、天壁を構成した際に第１天面部を露出させるための切除用断続切れ目をそれぞれ設け、かつ第２天面部または第４天面部のうちの少なくともいずれか一方の切除用断続切れ目部分に、第１天面部に先端がオーバラップする長さの係合用突部を設けるようにしているので、第１天面部を開閉蓋として使用することができ、しかも係合用突部の係合により、第１天面部を、閉状態で安定に保持することができる。
【００５２】
本発明はまた、第３天面部における第１天面部のオーバラップ部分を挾んだ両側位置に、一対の切込みを設けるようにしているので、第１天面部の第３天面部への係脱が容易となり、第１天面部を開閉蓋として使用する際に、その開閉を容易なものとすることができるとともに、閉状態で安定させることができる。
【００５３】
本発明はまた、第２天面部または第４天面部の残存部分における係止部を挾んだ両側位置に、一対の切込みを設けるようにしているので、第１天面部の係止部を第２天面部または第４天面部に係脱する作業が容易となり、また第１天面部を閉状態で安定させることができる。
【００５４】
本発明はまた、第１天面部の係合用突部を挾んだ両側位置に、一対の切込みを設けるようにしているので、第１天面部の係合用突部との係脱が容易となり、また第１天部を閉状態で安定させることができる。
【００５５】
本発明はまた、第３側面部に、切り起こし構造の把手を形成するための把手用切込みを設けるようにしているので、内袋開封後に米櫃等の収容容器として使用する際に、その取扱いを容易なものとすることができ、また切起こされた把手部分を介して、内部の精米等の残量を容易に確認することができる。
【００５６】
本発明はまた、切り起こし構造の把手を、開口端を突合わせた状態で２個設けるようにしているので、外箱の保持が安定し、米櫃等の収容容器として使用する際の取扱いを、より容易なものとすることができる。
【００５７】
本発明はまた、内袋を、天部フラップのうちの少なくとも第１天面部内面の先端近傍位置に固定するようにしているので、第１天面部を外側に開けば、内袋も同時に外部に引出すことができる。
【００５８】
本発明はさらに、内袋を、収容物の収容後に、第１天面部の中心と第３天面部の中心とを結ぶ方向にシールするようにしているので、内袋の開封が容易となり、しかも開閉蓋としての第１天面部を閉じた際に、内袋の開封部を確実に閉じることができる。
【図面の簡単な説明】
【図１】本発明の第１の実施の形態に係る内袋を有する箱を示す斜視図である。
【図２】図１の箱の全体構成を示す展開図である。
【図３】図１の箱の組立て前の状態を示す外観構成図である。
【図４】図３の背面図である。
【図５】図１の箱の天壁において切除部を切除して第１天面部を露出させた状態を示す説明図である。
【図６】第１天面部と第３天面部とがオーバラップしている状態を示す説明図である。
【図７】内袋の開口端をシールする際の方法を示す説明図である。
【図８】本発明の第２の実施の形態を示す説明図である。
【図９】本発明の第３の実施の形態を示す説明図である。
【符号の説明】
１  箱
２  外箱
３  内袋
４，５，６，１１，１３，１４，１５，１６，２１，２２，２３，２４  折線
７  第１側面部
８  第２側面部
９  第３側面部
１０  第４側面部
１２  糊代
１７，１８，１９，２０  底部フラップ
２５  第１天面部
２６  第２天面部
２６ａ，２８ａ  切除部
２７  第３天面部
２８  第４天面部
２９  周壁
３０  底壁
３１  天壁
３２ａ，３２ｂ  把手
３３ａ，３３ｂ  把手用切込み
３４，３５  切除用断続切れ目
３６，４３，４４，５３，５４  切込み
４１，４２  係止部
５１，５２  係合用突部
Ｐ  糊付け部
【図１】
0003969569.tif 000002
【図２】
0003969569.tif 000003
【図３】
0003969569.tif 000004
【図４】
0003969569.tif 000005
【図５】
0003969569.tif 000006
【図６】
0003969569.tif 000007
【図７】
0003969569.tif 000008
【図８】
0003969569.tif 000009
【図９】
0003969569.tif 000010